(57)【特許請求の範囲】
【請求項１】
地図情報と該地図情報とは異なる種別の付加情報とを表示部に表示させる情報提示装置であって、
前記地図情報及び前記付加情報に割り当てられた表示位置が所定範囲以上重複するとき、それら重複する情報の優先度を判別する優先度判別部と、
前記優先度判別部により優先度が低いと判別された情報の表示位置を該情報に予め割り当てられた初期位置から該情報との間で優先度が判別された他方の情報の表示位置との重複が所定範囲未満となる位置に移動させる表示位置移動部と、を備える
ことを特徴とする情報提示装置。
【請求項２】
前記付加情報は、情報量が動的に変化する情報であり、
前記表示部は、前記付加情報にその情報量に応じた表示領域を動的に割り当て、該割り当てた表示領域に前記付加情報を表示する
請求項１に記載の情報提示装置。
【請求項３】
前記付加情報が、該付加情報を管理するセンターから配信されて前記表示部にポップアップ表示されるポップアップ情報である
請求項２に記載の情報提示装置。
【請求項４】
前記表示位置移動部は、前記判別された優先度に応じて前記付加情報の表示位置が定められたのちに実行される付加情報の表示処理に先立つ前処理として、前記動的に変動する付加情報の情報量を識別するとともに該識別した情報量から定まる付加情報の表示領域に応じて前記定められた付加情報の表示位置を移動させる処理を行う
請求項２または３に記載の情報提示装置。
【請求項５】
前記優先度判別部は、前記地図情報の優先度を「高」、前記付加情報の優先度を「低」と判別し、
前記表示位置移動部は、前記地図情報及び付加情報に割り当てられた表示位置が所定範囲以上重複するとき、優先度「低」と判別された付加情報をその初期位置から移動させる
請求項１〜４のいずれか一項に記載の情報提示装置。
【請求項６】
前記地図情報が、地名、駅名、及びランドマークの少なくとも１つに関する情報からなり、
前記付加情報が、店舗の広告に関する広告情報を含む
請求項１〜５のいずれか一項に記載の情報提示装置。
【請求項７】
前記表示部には、前記地図情報及び前記付加情報を含む複数の情報が情報の種別毎に階層化された複数のレイヤの描画領域に描画されることにより、複数の情報が表示される
請求項１〜６のいずれか一項に記載の情報提示装置。
【請求項８】
前記複数のレイヤが、地図情報の描画領域を構成する地図レイヤに加え、アイコン情報の描画領域を構成するアイコンレイヤ、付加情報の描画領域を構成する付加情報レイヤ、及びメニュー情報の描画領域を構成するメニューレイヤの少なくとも１つのレイヤを含んで構成される
請求項７に記載の情報提示装置。
【請求項９】
地図情報と該地図情報とは異なる種別の付加情報とが可視表示される表示装置に前記付加情報を配信する情報配信システムであって、
前記付加情報の収集地点に関する地点情報を前記表示装置における表示位置として該当する付加情報に関連付ける地点情報関連付部と、
前記付加情報の収集地点が前記地図情報の示す地点に共通もしくは近接して前記地図情報及び付加情報に割り当てられた表示領域が所定範囲以上重複するときにそれら地図情報及び付加情報の優先度を判別する優先度判別部と、
前記優先度判別部により優先度が低いと判別された情報の表示位置を該情報の収集地点から該情報との間で優先度が判別された他方の情報の表示位置との重複が所定範囲未満となる位置に変更するための位置変更情報を前記優先度が低いと判別された情報に関連付けする位置変更部と、を備える
ことを特徴とする情報配信システム。
【請求項１０】
請求項９に記載の情報配信システムにおいて、
当該情報配信システムは、情報量が動的に変化する情報を前記付加情報として配信するものであり、
前記位置変更部は、前記付加情報の情報量を加味して前記位置変更情報を生成する
ことを特徴とする情報配信システム。
【請求項１１】
請求項１０に記載の情報配信システムにおいて、
当該情報配信システムは、前記表示装置にポップアップされるポップアップ情報を前記付加情報として配信する
ことを特徴とする情報配信システム。
【請求項１２】
請求項１０または１１に記載の情報配信システムにおいて、
当該情報配信システムは、前記付加情報の配信に先立ち、前記動的に変動する付加情報の情報量を識別するとともに該識別した情報量から定まる付加情報の前記表示装置における表示領域に応じて前記位置変更情報を生成する
ことを特徴とする情報配信システム。
【請求項１３】
前記優先度判別部は、前記地図情報の優先度を「高」、前記付加情報の優先度を「低」と判別し、
前記位置変更部は、前記付加情報の収集地点が前記地図情報の示す地点に共通もしくは近接して前記地図情報及び付加情報に割り当てられた表示領域が所定範囲以上重複するとき、優先度「低」と判別された付加情報に関する位置変更情報を生成して、該生成した位置変更情報を該当する付加情報に関連付けする
請求項９〜１２のいずれか一項に記載の情報配信システム。
【請求項１４】
地図情報と該地図情報とは異なる種別の付加情報とを表示部に表示させる情報提供装置において用いられる情報提示方法であって、
優先度判別部が、前記地図情報及び前記付加情報に割り当てられた表示位置が所定範囲以上重複するときそれら重複する情報の優先度を判別する判別ステップと、
表示位置移動部が、前記判別ステップにて優先度が低いと判別された情報の表示位置を該情報に予め割り当てられた初期位置から該情報との間で優先度が判別された他方の情報の表示位置との重複が所定範囲未満となる位置に移動させる移動ステップと、を含む
ことを特徴とする情報提示方法。
【請求項１５】
地図情報と該地図情報とは異なる種別の付加情報とが可視表示される表示装置に前記付加情報を配信する情報配信システムにおいて用いられる情報配信方法であって、
地点情報関連付部が、前記付加情報の収集地点に関する地点情報を前記表示装置における表示位置として該当する付加情報に関連付ける関連付ステップと、
優先度判別部が、前記付加情報の収集地点が前記地図情報の示す地点に共通もしくは近接して前記地図情報及び付加情報に割り当てられた表示領域が所定範囲以上重複するときにそれら地図情報及び付加情報の優先度を判別する判別ステップと、
位置変更部が、前記判別ステップにて優先度が低いと判別された情報の表示位置を該情報の収集地点から該情報との間で優先度が判別された他方の情報の表示位置との重複が所定範囲未満となる位置に変更するための位置変更情報を前記優先度が低いと判別された情報に関連付けする変更ステップと、を含む
ことを特徴とする情報配信方法。
【発明の詳細な説明】
【技術分野】
【０００１】
本発明は、地図情報を含む複数種の情報の提示に適用して有益な情報提示装置及び情報配信システム、並びに情報提示方法及び情報配信方法に関する。
【背景技術】
【０００２】
一般に、自動車等の車両で利用されるナビゲーションシステムは、道路上に存在する交差点や走行エリアの地名等の交通要素に関する情報を地図上にプロットして、このプロットした情報を地図画像とともに表示装置に可視表示する。そして、ナビゲーションシステムは、ユーザにより目的地が設定されると、交差点や地名等を目印として利用することで目的地までの推奨経路案内を行う。
【０００３】
一方、車両が走行する道路上には無数の交通要素が存在しており、複数の交通要素が近接して存在する走行エリアも多数存在する。また、表示装置の表示画面に表示することのできる情報量は、表示装置の表示領域の制約を受けることから、こうした表示画面に交通要素に関する詳細な情報を表示しようとすると、複数の情報が重複して表示されるなど、表示画面の視認性が低下することとなっていた。
【０００４】
そこで、例えば、特許文献１に記載のナビゲーションシステムは、交通要素等に関する情報が重複して表示されるときには、情報の優先度を定めるとともに、優先度の高い情報を強調して表示するようにしている。これにより、交通要素等に関する情報が重複して表示されたとしても、優先度の高い情報をユーザに提示することが可能となる。
【先行技術文献】
【特許文献】
【０００５】
【特許文献１】特開２００９−２３６７１３号公報
【発明の概要】
【発明が解決しようとする課題】
【０００６】
ところで、交通要素等に関する情報が重複して表示されるときに優先度の高い情報が強調表示されると、重複して表示される優先度の低い情報は優先度の高い情報によって遮られることにもなりかねない。このため、優先度が低いと判断されている情報の中にユーザの所望とする情報やユーザにとって利用価値の高い情報が存在すると、こうした情報をユーザに提示することが困難となってしまう。
【０００７】
本発明は、このような実情に鑑みてなされたものであり、その目的は、視認性を低下させることなく複数の情報を提示することのできる情報提示装置及び情報配信システム、並びに情報提示方法及び情報配信方法を提供することにある。
【課題を解決するための手段】
【０００８】
以下、上記課題を解決するための手段及びその作用効果について記載する。
請求項１に記載の発明は、地図情報と該地図情報とは異なる種別の付加情報とを表示部に表示させる情報提示装置であって、前記地図情報及び前記付加情報に割り当てられた表
示位置が所定範囲以上重複するとき、それら重複する情報の優先度を判別する優先度判別部と、前記優先度判別部により優先度が低いと判別された情報の表示位置を該情報に予め割り当てられた初期位置から該情報との間で優先度が判別された他方の情報の表示位置との重複が所定範囲未満となる位置に移動させる表示位置移動部と、を備えることを要旨とする。
【０００９】
上記構成では、地図情報及び付加情報といった複数種の情報の表示位置が所定範囲以上重複するときには、重複する各情報の優先度が判別される。そして、優先度が低いと判断された情報の表示位置が、予め割り当てられた初期位置から移動させられる。この結果、優先度が相違する情報が重複したとしても、優先度が高い情報は移動されることなく初期位置に表示される。これにより、優先度が高い情報が、優先度の低い情報に遮られることなく、その視認性が維持されることとなる。また、優先度の低い情報についても、初期位置から移動されることで優先度が高い情報に遮られることなく、その視認性が維持されることとなる。さらに、上記構成では、優先度が低いと判別された情報が移動の対象として選定されることから、優先度の高い情報を予め割り当てられた初期位置に安定して表示することが可能となり、優先度の高い情報の表示位置を適正な位置に維持することが可能となる。
【００１０】
請求項２に記載の発明は、請求項１に記載の情報提示装置において、前記付加情報は、情報量が動的に変化する情報であり、前記表示部は、前記付加情報にその情報量に応じた表示領域を動的に割り当て、該割り当てた表示領域に前記付加情報を表示することを要旨とする。
【００１１】
或る情報が表示部に表示される際には、その情報量に応じて表示領域が割り当てられることが普通であり、情報量が多いほど表示領域が大きくなり、情報量が少ないほど表示領域が小さくなる。
【００１２】
一方、表示部に表示される付加情報には、たとえ同種類の情報であっても、時間帯やエリア、発信源等によって情報量が動的に変化する情報もある。このため、一旦、こうした付加情報の表示位置をその収集地点や情報量に基づき定めたとしても、情報量が増大すると、初めに割り当てられた表示位置に付加情報が収まらなくなる。この結果、付加情報に表示位置が割り当てられたときには該付加情報が周辺に存在する情報と重複しなくても、付加情報と周辺に存在する情報とが事後的に重複することとなる。
【００１３】
そこで、上記構成によるように、付加情報の情報量が動的に変化するとき、この付加情報の情報量に応じた表示領域を動的に割り当てる。そして、この表示領域に表示される付加情報が、他の情報と重複して表示されるときには、付加情報の表示位置を移動する。このように上記構成では、付加情報の情報量の変化に伴って表示領域が動的に変化したとしても、その都度の情報量に応じた表示領域が割り当てられ、この割り当てられた表示領域に基づく付加情報の移動処理が行われる。これにより、表示領域が動的に変化する付加情報が、他の情報に重複することが的確に抑制されるようになる。
【００１４】
請求項３に記載の発明は、請求項２に記載の情報提示装置において、前記付加情報が、該付加情報を管理するセンターから配信されて前記表示部にポップアップ表示されるポップアップ情報であることを要旨とする。
【００１５】
上記ポップアップ情報は、特に、その情報量が表示領域に反映されやすく、ポップアップ情報の存在の有無も動的に変化する傾向にある。
この点、上記構成によれば、付加情報としてポップアップ情報が表示され、このポップアップ情報の表示領域が動的に変化するときであっても、このポップアップ情報と地図情報とが重複することが抑制される。これにより、ポップアップ情報及び地図情報の視認性が好適に維持されるようになる。また、こうしたポップアップ情報は、特定の表示位置を基点として、吹き出し等の表示態様により表示されることが普通である。よって、ポップアップ情報を移動させたとしても、その基点さえ初期の表示位置に維持すれば、ポップアップ情報が特定の地点との関連性が強いものであったとしても、ポップアップ情報と特定の地点との対応付けを維持することが可能となる。
【００１６】
請求項４に記載の発明は、請求項２または３に記載の情報提示装置において、前記表示位置移動部は、前記判別された優先度に応じて前記付加情報の表示位置が定められたのちに実行される付加情報の表示処理に先立つ前処理として、前記動的に変動する付加情報の情報量を識別するとともに該識別した情報量から定まる付加情報の表示領域に応じて前記定められた付加情報の表示位置を移動させる処理を行うことを要旨とする。
【００１７】
上記構成によれば、付加情報の表示処理の前処理として、付加情報の情報量に基づき表示領域が定められ、この表示領域に応じて付加情報の表示位置を移動させる処理が実行される。すなわち、情報量が動的に変化する付加情報を表示させる直前のタイミングで、最新の付加情報の情報量に応じて表示領域が定められ、この表示領域に応じて表示位置が移動される。これにより、付加情報の移動が、最新の付加情報の情報量に基づき行われることとなり、最新の付加情報の情報量を付加情報の表示位置に的確に反映させることが可能となる。
【００１８】
請求項５に記載の発明は、請求項１〜４のいずれか一項に記載の情報提示装置において、前記優先度判別部は、前記地図情報の優先度を「高」、前記付加情報の優先度を「低」と判別し、前記表示位置移動部は、前記地図情報及び付加情報に割り当てられた表示位置が所定範囲以上重複するとき、優先度「低」と判別された付加情報をその初期位置から移動させることを要旨とする。
【００１９】
一般に、地図情報は、特定の地点の属性や名称等を示すことが多い。また、この地図情報は、例えば、地図上において該地図情報が示す地点付近に表示されることが普通である。よって、表示される情報が増加したとしても、地図情報の表示位置は固定することが好ましい。
【００２０】
この点、上記構成によれば、地図情報の優先度が「高」、付加情報の優先度が「低」と規定される。そして、地図情報及び付加情報の表示位置が重複するときには、優先度の低い付加情報の表示位置が移動される。これにより、地図情報及び付加情報といった複数の情報を表示しつつも、特定の地点との関連性が強い地図情報の表示を的確に行うことが可能となる。
【００２１】
請求項６に記載の発明は、請求項１〜５のいずれか一項に記載の情報提示装置において、前記地図情報が、地名、駅名、及びランドマークの少なくとも１つに関する情報からなり、前記付加情報が、店舗の広告に関する広告情報を含むことを要旨とする。
【００２２】
地名、駅名、及びランドマークは、特定の地点との関連性が強く、表示部に提示される画面を介してユーザに対して各種案内を行う上で、地名、駅名、及びランドマークに関する情報の視認性を維持する必要性は高い。また、広告情報を発信する店舗は、特定の地点に密集して存在する傾向にあり、こうした広告情報が表示されるエリアでは、広告情報と地図情報とが重複する傾向にある。
【００２３】
この点、上記構成によれば、特定の地点との関連性が強い地名、駅名、及びランドマークに関する情報と広告情報とが重複したときには、いずれかの情報の表示位置が移動される。このため、地名、駅名、及びランドマークに関する情報と広告情報とを共に表示可能としつつも、各情報の視認性を的確に維持することが可能となる。これにより、例えば、広告情報を発信する店舗までの経路案内等を、地名、駅名、及びランドマークに関する情報を提示することにより行うことが可能となる。
【００２４】
請求項７に記載の発明は、請求項１〜６のいずれか一項に記載の情報提示装置において、前記表示部には、前記地図情報及び前記付加情報を含む複数の情報が情報の種別毎に階層化された複数のレイヤの描画領域に描画されることにより、複数の情報が表示されることを要旨とする。
【００２５】
上記構成によるように、複数種の情報を階層化された複数の描画領域に描画することによって表示することとすれば、各種情報の表示処理や移動処理をレイヤ単位で行うことが可能となる。これにより、複数種の情報の表示を的確に行うことが可能となる。
【００２６】
請求項８に記載の発明は、請求項７に記載の情報提示装置において、前記複数のレイヤが、地図情報の描画領域を構成する地図レイヤに加え、アイコン情報の描画領域を構成するアイコンレイヤ、付加情報の描画領域を構成する付加情報レイヤ、及びメニュー情報の描画領域を構成するメニューレイヤの少なくとも１つのレイヤを含んで構成されることを要旨とする。
【００２７】
上記構成によれば、地図情報、アイコン情報、付加情報、及びメニュー情報をそれぞれ、地図レイヤ、アイコンレイヤ、付加情報レイヤ、及びメニューレイヤに描画することによって、各種情報を表示することが可能となる。そして、レイヤ間で情報の表示位置が重複したときには、各レイヤでの情報の表示位置の移動を通じて、情報の重複を解消することが可能となる。これにより、対象とする情報の移動を、レイヤ単位で行うことが可能となる。
【００２８】
請求項９に記載の発明は、地図情報と該地図情報とは異なる種別の付加情報とが可視表示される表示装置に前記付加情報を配信する情報配信システムであって、前記付加情報の収集地点に関する地点情報を前記表示装置における表示位置として該当する付加情報に関連付ける地点情報関連付部と、前記付加情報の収集地点が前記地図情報の示す地点に共通もしくは近接して前記地図情報及び付加情報に割り当てられた表示領域が所定範囲以上重複するときにそれら地図情報及び付加情報の優先度を判別する優先度判別部と、前記優先度判別部により優先度が低いと判別された情報の表示位置を該情報の収集地点から該情報との間で優先度が判別された他方の情報の表示位置との重複が所定範囲未満となる位置に変更するための位置変更情報を前記優先度が低いと判別された情報に関連付けする位置変更部と、を備えることを要旨とする。
【００２９】
上記構成では、地図情報及び付加情報といった複数種の情報の表示位置が所定範囲以上重複するときには、重複する各情報の優先度が判別される。また、優先度が低いと判断された情報をその収集地点から変更するための位置変更情報が生成される。そして、この生成された位置変更情報が、優先度が低いと判断された情報、すなわち、表示位置の変更（移動）対象となる情報に関連付けされる。こうして、位置変更情報の関連付けされた情報は、情報配信システムから表示装置に配信される。そして、表示装置は、位置変更情報に基づいて該当する情報の表示位置を規定し、この情報と他の情報とを表示する。このとき、表示装置が表示する情報は、位置変更情報に基づいて表示位置が変更されていることから、複数の情報が重複して表示されることが抑制される。これにより、優先度が高い情報が、優先度の低い情報に遮られることなく、その視認性が維持されることとなる。また、優先度の低い情報についても、優先度が高い情報に遮られることなく、その視認性が維持されることとなる。さらに、上記構成では、優先度が低いと判別された情報が移動の対象として選定されることから、優先度の高い情報を予め割り当てられた初期位置に安定して表示することが可能となり、優先度の高い情報の表示位置を適正な位置に維持することが可能となる。
【００３０】
請求項１０に記載の発明は、請求項９に記載の情報配信システムにおいて、当該情報配信システムは、情報量が動的に変化する情報を前記付加情報として配信するものであり、前記位置変更部は、前記付加情報の情報量を加味して前記位置変更情報を生成することを要旨とする。
【００３１】
或る情報が表示装置に表示される際には、その情報量に応じて表示領域が割り当てられることが普通であり、情報量が多いほど表示領域が大きくなり、情報量が少ないほど表示領域が小さくなる。
【００３２】
一方、表示装置に表示される付加情報には、たとえ同種類の情報であっても、時間帯やエリア、発信源等によって情報量が動的に変化する情報もある。このため、一旦、こうした付加情報の表示位置をその収集地点や情報量に基づき定めたとしても、情報量が増大すると、初めに割り当てられた表示位置に付加情報が収まらなくなる。この結果、付加情報に表示位置が割り当てられたときには該付加情報が周辺に存在する情報と重複しなくても、付加情報と周辺に存在する情報とが事後的に重複することとなる。
【００３３】
そこで、上記構成によるように、情報量が動的に変化する情報を上記付加情報として規定し、この付加情報の情報量に応じた表示領域を加味して上記位置変更情報を生成する。この結果、この表示領域に表示される付加情報が、他の情報と重複して表示されるときには、付加情報の表示位置をその収集地点とは異なる位置に変更するための位置変更情報が生成される。このように上記構成では、付加情報の情報量の変化に伴って表示領域が動的に変化したとしても、その都度の情報量に応じた表示領域が割り当てられ、この割り当てられた表示領域に基づいて位置変更情報が生成される。これにより、表示領域が動的に変化する付加情報が、他の情報に重複することが的確に抑制されるようになる。
【００３４】
請求項１１に記載の発明は、請求項１０に記載の情報配信システムにおいて、当該情報配信システムは、前記表示装置にポップアップされるポップアップ情報を前記付加情報として配信することを要旨とする。
【００３５】
上記ポップアップ情報は、特に、その情報量が表示領域に反映されやすく、ポップアップ情報の存在の有無も動的に変化する傾向にある。
この点、上記構成によれば、付加情報としてポップアップ情報が表示され、このポップアップ情報の表示領域が動的に変化するときであっても、このポップアップ情報と地図情報とが重複することが抑制される。これにより、ポップアップ情報及び地図情報の視認性が好適に維持されるようになる。また、こうしたポップアップ情報は、特定の表示位置を基点として、吹き出し等の表示態様により表示されることが普通である。よって、ポップアップ情報を移動させたとしても、その基点さえ初期の表示位置に維持すれば、ポップアップ情報が特定の地点との関連性が強いものであったとしても、ポップアップ情報と特定の地点との対応付けを維持することが可能となる。
【００３６】
請求項１２に記載の発明は、請求項１０または１１に記載の情報配信システムにおいて、当該情報配信システムは、前記付加情報の配信に先立ち、前記動的に変動する付加情報の情報量を識別するとともに該識別した情報量から定まる付加情報の前記表示装置における表示領域に応じて前記位置変更情報を生成することを要旨とする。
【００３７】
上記構成によれば、付加情報の配信に先立ち、付加情報の情報量に基づき表示装置における該付加情報の表示領域が定められる。そして、この表示領域に応じて位置変更情報が生成される。すなわち、情報量が動的に変化する付加情報を配信させる直前のタイミングで、最新の付加情報の情報量に応じて、付加情報の表示位置を変更させるための位置変更情報が生成される。そして、表示装置では、表示対象となる最新の付加情報に基づき生成された位置変更情報をもとに、付加情報の表示処理が実行される。これにより、最新の付加情報の情報量を付加情報の表示位置に的確に反映させることが可能となり、情報量が動的に変化する付加情報の表示を的確に行うことが可能となる。
【００３８】
請求項１３に記載の発明は、請求項９〜１２のいずれか一項に記載の情報配信システムにおいて、前記優先度判別部は、前記地図情報の優先度を「高」、前記付加情報の優先度を「低」と判別し、前記位置変更部は、前記付加情報の収集地点が前記地図情報の示す地点に共通もしくは近接して前記地図情報及び付加情報に割り当てられた表示領域が所定範囲以上重複するとき、優先度「低」と判別された付加情報に関する位置変更情報を生成して、該生成した位置変更情報を該当する付加情報に関連付けすることを要旨とする。
【００３９】
一般に、地図情報は、特定の地点の属性や名称等を示すことが多く、この地図情報は、例えば、地図上において、該地図情報が示す地点付近に表示されることが普通である。よって、表示される情報が増加したとしても、地図情報の表示位置は固定することが好ましい。
【００４０】
この点、上記構成によれば、地図情報の優先度が「高」、付加情報の優先度が「低」と規定される。そして、地図情報及び付加情報の表示位置が重複するときには、優先度の低い付加情報の表示位置を変更するための位置変更情報が生成され、この位置変更情報が該当する付加情報に関連付けされる。また、表示装置では、この位置変更情報に基づいて、地図情報と重複していた付加情報の表示位置が規定される。これにより、地図情報及び付加情報といった複数の情報を表示装置に表示させつつも、特定の地点との関連性が強い地図情報の表示を的確に行うことが可能となる。
【００４１】
請求項１４に記載の発明は、地図情報と該地図情報とは異なる種別の付加情報とを表示部に表示させる情報提供装置において用いられる情報提示方法であって、優先度判別部が、前記地図情報及び前記付加情報に割り当てられた表示位置が所定範囲以上重複するときそれら重複する情報の優先度を判別する判別ステップと、表示位置移動部が、前記判別ステップにて優先度が低いと判別された情報の表示位置を該情報に予め割り当てられた初期位置から該情報との間で優先度が判別された他方の情報の表示位置との重複が所定範囲未満となる位置に移動させる移動ステップと、を含むことを要旨とする。
【００４２】
上記方法では、地図情報及び付加情報といった複数種の情報の表示位置が所定範囲以上重複するときには、重複する各情報の優先度が判別される。そして、優先度が低いと判断された情報の表示位置が、予め割り当てられた初期位置から移動させられる。この結果、優先度が相違する情報が重複したとしても、優先度が高い情報は移動されることなく初期位置に表示される。これにより、優先度が高い情報が、優先度の低い情報に遮られることなく、その視認性が維持されることとなる。また、優先度の低い情報についても、初期位置から移動されることで、優先度が高い情報に遮られることなく、その視認性が維持されることとなる。さらに、上記方法では、優先度が低いと判別された情報が移動の対象として選定されることから、優先度の高い情報を予め割り当てられた初期位置に安定して表示することが可能となり、優先度の高い情報の表示位置を適正な位置に維持することが可能となる。
【００４３】
請求項１５に記載の発明は、地図情報と該地図情報とは異なる種別の付加情報とが可視表示される表示装置に前記付加情報を配信する情報配信システムにおいて用いられる情報配信方法であって、地点情報関連付部が、前記付加情報の収集地点に関する地点情報を前記表示装置における表示位置として該当する付加情報に関連付ける関連付ステップと、優先度判別部が、前記付加情報の収集地点が前記地図情報の示す地点に共通もしくは近接して前記地図情報及び付加情報に割り当てられた表示領域が所定範囲以上重複するときにそれら地図情報及び付加情報の優先度を判別する判別ステップと、位置変更部が、前記判別ステップにて優先度が低いと判別された情報の表示位置を該情報の収集地点から該情報との間で優先度が判別された他方の情報の表示位置との重複が所定範囲未満となる位置に変更するための位置変更情報を前記優先度が低いと判別された情報に関連付けする変更ステップと、を含むことを要旨とする。
【００４４】
上記方法では、地図情報及び付加情報といった複数種の情報の表示位置が所定範囲以上重複するときには、重複する各情報の優先度が判別される。また、優先度が低いと判断された情報をその収集地点から変更するための位置変更情報が生成される。そして、この生成された位置変更情報が、優先度が低いと判断された情報、すなわち、表示位置の変更（移動）対象となる情報に関連付けされる。こうして、位置変更情報の関連付けされた情報は、表示装置に配信される。そして、表示装置では、位置変更情報に基づいて該当する情報の表示位置が規定され、この情報と他の情報とが表示される。このとき、表示装置に表示される情報は、位置変更情報に基づいて表示位置が変更されていることから、複数の情報が重複して表示されることが抑制される。これにより、優先度が高い情報が、優先度の低い情報に遮られることなく、その視認性が維持されることとなる。また、優先度の低い情報についても、優先度が高い情報に遮られることなく、その視認性が維持されることとなる。さらに、上記方法では、優先度が低いと判別された情報が移動の対象として選定されることから、優先度の高い情報を予め割り当てられた初期位置に安定して表示することが可能となり、優先度の高い情報の表示位置を適正な位置に維持することが可能となる。
【図面の簡単な説明】
【００４５】
【図１】本発明にかかる情報提示装置及び情報提示方法の第１の実施の形態について、情報提示装置及び情報提示方法が適用されるナビゲーションシステム及びセンターの概略構成を示すブロック図。
【図２】（ａ）及び（ｂ）は、同実施の形態の付加情報の移動態様の一例を示す図。
【図３】（ａ）〜（ｄ）は、同実施の形態の付加情報の移動態様の一例を示す図。
【図４】同実施の形態の地図情報、アイコン情報、及び付加情報の表示手順の一例を示すフローチャート。
【図５】（ａ）は、移動先の候補とされた領域に情報が存在しないときにおける付加情報の移動態様の一例を示す図。（ｂ）は、移動先の候補とされた領域に情報が存在するときにおける付加情報の移動態様の一例を示す図。
【図６】ナビゲーションシステムを構成する表示部の表示画面の一例を示す図。
【図７】（ａ）は、メニューレイヤ、ポップアップレイヤ、アイコンレイヤ、及び地図レイヤからなるレイヤ構造の一例を示す図。（ｂ）は、メニューレイヤ、ポップアップレイヤ、アイコンレイヤ、及び地図レイヤに描画されるメニュー情報、ポップアップ情報、アイコン情報、及び地図情報の一例を示す図。
【図８】（ａ）は、ポップアップ情報、アイコン情報、及び地図情報に割り当てられた表示位置、表示領域を決定する大きさ、及び優先度の一例を示すマップ。（ｂ）は、ポップアップ情報、アイコン情報、及び地図情報が描画されるレイヤ構造の一例を示す図。
【図９】本発明にかかる情報提示装置及び情報提示方法の第２の実施の形態について、地図情報、アイコン情報、及び付加情報の表示手順の一例を示すフローチャート。
【図１０】本発明にかかる情報配信システム及び情報配信方法の第３の実施の形態について、情報配信システム及び情報配信方法が適用されるナビゲーションシステム及びセンターの概略構成を示すブロック図。
【図１１】同実施の形態の地図情報、アイコン情報、及び付加情報の表示手順の一例を示すシーケンス図。
【図１２】本発明にかかる情報配信システム及び情報配信方法の第４の実施の形態について、情報配信システム及び情報配信方法が適用されるナビゲーションシステム及びセンターの概略構成を示すブロック図。
【発明を実施するための形態】
【００４６】
（第１の実施の形態）
以下、本発明にかかる情報提示装置及び情報提示方法を具体化した第１の実施の形態について図１〜図６を参照して説明する。なお、本実施の形態の情報提示装置及び情報提示方法は、例えば、車両に搭載されたナビゲーションシステムに適用されるものである。なお、本実施の形態の情報提示装置及び情報提示方法は、種別の異なる情報が単層のレイヤに描画されることにより可視表示されるものである。
【００４７】
図１に示すように、本実施の形態の情報提示装置及び情報提示方法が適用されるナビゲーションシステム１００は、このナビゲーションシステム１００の基本機能等を管理するオペレーティングシステム１１０を備えている。また、本実施の形態のナビゲーションシステム１００は、外部から取得したアプリケーションプログラムを実行するアプリケーション実行部１２０を備えている。
【００４８】
オペレーティングシステム１１０は、ユーザにより設定された目的地までの経路探索や探索した経路の案内を行う経路案内部１１１を備えている。経路案内部１１１は、ユーザにより目的地が設定されると、ナビゲーションシステム１００が搭載された車両の緯度経度情報をＧＰＳ１０１から取得するとともに、設定された目的地までの推奨経路を探索する。また、経路案内部１１１は、探索した推奨経路の走行案内を行うための処理を実行する。
【００４９】
また、オペレーティングシステム１１０は、車両内に設けられる液晶ディスプレイ等によって構成される表示部１３１に出力する画像データを生成する画像データ生成部１１２を備えている。画像データ生成部１１２は、ＧＰＳ１０１が取得した緯度経度情報、経路案内部１１１の探索結果や処理結果、及びアプリケーション実行部１２０から入力されるデータ等に基づいて、表示部１３１に表示させるための画像データを生成する。そして、画像データ生成部１１２は、生成した画像データを表示部１３１に出力する。なお、本実施の形態の画像データ生成部１１２は、画像データとして、例えば、地名、駅名、及びランドマーク等に関する地図情報を地図上にプロットしたデータを生成する。また、本実施の形態の画像データ生成部１１２は、画像データとして、例えば、店舗の広告等がポップアップ表示されるポップアップ情報等の付加情報を地図上にプロットしたデータを生成する。なお、画像データ生成部１１２は、表示部１３１の初期画面用に、ＧＰＳ１０１から取得した緯度経度情報に基づき、ナビゲーションシステム１００が搭載される車両の周辺のエリアを示す地図を描画メモリ１３０に描画する。そして、画像データ生成部１１２は、描画した地図を表示部１３１に表示させる。また、付加情報は、時間帯によって店舗の広告内容が変化し、これに伴い広告内容の情報量が変化することから、情報内容や情報量が動的に変化するものとなっている。
【００５０】
また、オペレーティングシステム１１０は、表示部１３１上に表示させる各種の情報の表示位置を規定する表示位置規定部１１３、及びアプリケーション実行部１２０から入力されるデータに基づき表示すべき情報の情報量を識別する情報量識別部１１４を備えている。さらに、オペレーティングシステム１１０は、表示部１３１に表示される情報の優先度を判別する優先度判別部１１５、及び表示部１３１に表示される情報の表示位置を優先度判別部１１５の判別結果に応じて移動する表示位置移動部１１６を備えている。
【００５１】
このうち、表示位置規定部１１３は、例えば、地図データベース１４０に登録されている地図データに含まれる地名や緯度経度情報に基づいて、地名、駅名、及びランドマーク等の地図情報の表示位置を規定する。
【００５２】
また、表示位置規定部１１３は、例えば、地図データベース１４０に登録されているアイコンデータに含まれる地名や緯度経度情報に基づいて、例えば、ガソリンスタンドや飲食店等の存在を示すアイコン情報の表示位置を規定する。
【００５３】
さらに、表示位置規定部１１３は、アプリケーション実行部１２０から入力されるデータに含まれる店舗の広告に関する情報等の付加情報の収集地点を示すデータに基づいて、付加情報の初期の表示位置を規定する。そして、表示位置規定部１１３は、規定した表示位置を示す情報を情報量識別部１１４に出力する。なお、アプリケーション実行部１２０から表示位置規定部１１３には、各種の付加情報の収集地点を示すデータの他、該当する付加情報の種別と要求先とを示すデータが含まれている。本実施の形態では、該当する付加情報の要求先として、例えば付加情報を管理するセンター２００が規定されている。
【００５４】
また、表示位置規定部１１３は、表示位置を規定した情報のうち、地図情報とアイコン情報とを画像データ生成部１１２に出力する。そして、画像データ生成部１１２に入力された地図情報及びアイコン情報が、描画メモリ１３０に描画された地図上に描画される。
【００５５】
情報量識別部１１４は、表示位置規定部１１３が規定した表示位置に表示する各種の情報の情報量を識別する。本実施の形態の情報量識別部１１４は、付加情報の情報量の識別に際し、アプリケーション実行部１２０から入力されたデータが示す付加情報の要求先を参照する。そして、情報量識別部１１４は、要求先として規定されているセンター２００から該当する付加情報の情報内容を、通信部１０２を介して取得する。すなわち、本実施の形態では、付加情報の情報内容、換言すれば、表示部１３１に表示すべき付加情報の内容が、その表示処理が実行される直前のタイミングで取得される。よって、動的に変化する付加情報の情報内容は、情報内容や情報量が変化しない地図情報及びアイコン情報とは異なるタイミングで取得される。これにより、最新の付加情報の情報内容がその表示処理に反映されることとなる。
【００５６】
次いで、情報量識別部１１４は、センター２００から取得した付加情報の情報量を識別する。そして、情報量識別部１１４は、識別した情報量と表示位置規定部１１３から入力された表示位置を示す情報とに基づき、各種の情報の表示画面における表示領域を決定する。そして、情報量識別部１１４は、決定した表示領域を示す情報を優先度判別部１１５に出力する。
【００５７】
優先度判別部１１５は、情報量識別部１１４から入力された各種の情報の表示領域が所定範囲以上重複するとき、重複した情報の優先度を判別する。なお、本実施の形態の優先度判別部１１５は、例えば、地図情報を優先度「高」、アイコン情報を優先度「中」、及びアプリケーション実行部１２０から入力されるデータに基づき表示される付加情報を優先度「低」とそれぞれ規定する。また、情報の重複の有無が判断される所定範囲としては、例えば、重複する情報のうちの一方の表示領域が約３割以上となる範囲等が規定されている。そして、優先度判別部１１５は、表示領域の重複する各種の情報と判別結果を示す情報とを表示位置移動部１１６に出力する。
【００５８】
表示位置移動部１１６は、優先度判別部１１５から優先度の判別結果を示す情報が入力されると、重複する情報のうち、優先度が低い情報に割り当てられていた表示位置を移動する処理を行う。本実施の形態の表示位置移動部１１６は、優先度が低い情報の表示位置を、優先度が高い情報との重複部分が所定範囲未満となるように、初期の表示位置から移動させる。これにより、複数の情報の重複部分が所定範囲未満に抑制される。
【００５９】
なお、本実施の形態の表示位置移動部１１６は、移動対象とする情報として、付加情報を選定する。すなわち、本実施の形態の表示位置移動部１１６は、地図情報及びアイコン情報は移動対象として選定しない。これにより、地名、駅名、及びランドマークといった地点との関連性が特に強い地図情報やアイコン情報の表示位置が移動されることが抑制され、地図情報やアイコン情報による地点に付随する情報の精度が維持されるようになる。そして、表示位置移動部１１６は、移動させた付加情報の表示位置と情報内容とを示す情報を、画像データ生成部１１２に出力する。これにより、付加情報が、描画メモリ１３０に描画され、表示部１３１に表示されることとなる。
【００６０】
一方、アプリケーション実行部１２０は、インストールされたアプリケーションプログラムを実行する。本実施の形態のアプリケーション実行部１２０は、例えば、付加情報として、表示部１３１にポップアップ表示される店舗の広告等に関するポップアップ情報を表示するためのアプリケーションプログラムを実行する。また、本実施の形態のアプリケーション実行部１２０は、付加情報の収集地点と要求先とを示すデータを、予め、オペレーティングシステム１１０に出力する。そして、この付加情報が表示されるタイミング、例えば、ナビゲーションシステム１００が搭載された車両が付加情報の収集地点に接近したタイミングで、オペレーティングシステム１１０が最新の付加情報をセンター２００から取得する。これにより、本実施の形態では、アプリケーションプログラムに基づく付加情報の表示を可能としつつも、オペレーティングシステム１１０にて付加情報の移動処理と表示処理とが行われる直前のタイミングで、最新の付加情報が取得されるようになっている。よって、付加情報の情報量、換言すれば、付加情報の表示に必要な表示領域が変化したとしても、この変化した情報量に応じて付加情報の表示位置が移動されることとなる。
【００６１】
センター２００は、ナビゲーションシステム１００の通信部１０２と通信を行う通信部２０１、及び付加情報を管理する付加情報管理部２０２を備えている。本実施の形態の付加情報管理部２０２は、付加情報としてポップアップ情報を管理する。付加情報管理部２０２は、例えば、特定の店舗の広告を示す広告情報を、広告情報を発信する店舗や情報端末等から取得する。また、付加情報管理部２０２は、広告情報を適宜取得し、当該付加情報管理部２０２が管理する広告情報の内容を適宜更新する。これにより、付加情報管理部２０２が管理する広告情報は、最新の状態に維持される。そして、付加情報管理部２０２は、ナビゲーションシステム１００の要求に応じて、該当する広告情報を配信する。
【００６２】
次に、図２及び図３を参照して、本実施の形態の情報提示装置及び情報提示方法による付加情報の移動態様を説明する。
図２（ａ）に示すように、例えば、地図上の表示領域１１に表示すべき情報として、この表示領域１１に対応する地点の地名を示す優先度「高」の地図情報が存在していたとする。また、地図上の表示領域１３〜１６に表示すべき情報として、各表示領域１３〜１６に対応する地点に存在する駐車場やスタンド等を示す優先度「中」のアイコン情報が存在していたとする。
【００６３】
ここで、表示領域１１に対応する地点に存在する店舗からポップアップ情報１０が発信されていると、このポップアップ情報１０は、表示領域１１に表示される地図情報と表示位置（表示領域）が重複することとなる。
【００６４】
すると、図２（ｂ）に示すように、例えば、重複する地図情報及びポップアップ情報１０のうちの優先度の低いポップアップ情報１０が、表示領域１１に隣接する領域であって、優先度の割り当てられた情報の表示領域とされていない領域１２に移動される。そして、ポップアップ情報１０は、ポップアップ表示の基点が表示領域１１に維持されつつ、領域１２に表示されることとなる。これにより、図２（ａ）及び（ｂ）に示すように、複数の情報が密集して表示されるときであっても、地図情報及びポップアップ情報１０が重複することなく表示部１３１に表示されることとなる。
【００６５】
一方、図３（ａ）に示すように、領域１２にも優先度の高い地図情報が割り当てられていると、初期の表示位置が表示領域１１であったポップアップ情報１０の表示位置として、図３（ｂ）及び（ｃ）に例示するように、例えば、初期の表示位置が表示領域１１に近接する表示領域１２〜１５が検索される。しかし、この表示領域１２〜１５には、各表示領域１２〜１５に対応する地点に関連する優先度「中」のアイコン情報が既に割り当てられている。
【００６６】
そこで、図３（ｄ）に示すように、領域１３及び１５に隣接し、優先度の割り当てられた情報の存在しない表示領域１６が、ポップアップ情報１０の表示領域として設定される。そして、ポップアップ情報１０は、同図３（ｄ）に示すように、ポップアップ表示の基点が表示領域１１に維持されつつ、表示領域１６に表示されることとなる。
【００６７】
以下、図４〜図６を参照して本実施の形態の情報提示装置及び情報提示方法の作用を説明する。
図４に示すように、まず、車両周辺のエリアであって表示部１３１に表示される領域の地図が描画メモリ１３０に描画される（ステップＳ１００）。次いで、地図情報及びアイコン情報が、地図データベース１４０から順次取得される（ステップＳ１０１、Ｓ１０２）。
【００６８】
こうして、地図情報及びアイコン情報が取得されると、地図情報及びアイコン情報に含まれる地点や緯度経度を示す情報に基づき、地図情報及びアイコン情報の地図上における表示位置が規定される（ステップＳ１０３）。また、アプリケーション実行部１２０から予め取得された付加情報の表示位置を示すデータに基づいて、地図上に表示すべき付加情報が特定されるとともに、特定された付加情報の初期の表示位置が規定される。
【００６９】
そして、初期の表示位置が規定された最新の付加情報がセンター２００から取得される（ステップＳ１０４）。こうして、最新の付加情報が取得されると、該付加情報、地図情報、及びアイコン情報の情報量が識別される（ステップＳ１０５）。そして、この識別された情報量と上記規定された表示位置とに基づき、付加情報、地図情報、及びアイコン情報の表示部１３１における表示領域が求められる。
【００７０】
こうして、各情報の表示領域が求められると、付加情報、地図情報、及びアイコン情報のうち、共通もしくは近接する地点の情報を表示するために表示領域が所定範囲以上重複している情報が特定される（ステップＳ１０６）。そして、表示領域が重複している情報が特定されると、特定された情報についての優先度が判別される（ステップＳ１０７）。これにより、例えば、地図情報と付加情報との表示領域が重複しているときには、地図情報の優先度が「高」であり、付加情報の優先度が「低」であると判別される。また、これにより、例えば、アイコン情報と付加情報との表示領域が重複しているときには、アイコン情報の優先度が「中」であり、付加情報の優先度が「低」であると判別される。そして、重複する情報のうちの優先度の低い付加情報が、初期の表示位置から、所定範囲以上重複する情報が存在しない位置まで移動される（ステップＳ１０８）。これにより、図５（ａ）に例示する地図上において、駅名を示す地図情報２０及びランドマークを示す地図情報２１が或る表示領域に割り当てられており、ポップアップ情報３０の表示位置が地図情報２１と重複するときには、ポップアップ情報３０の表示位置が移動される。また、図５（ｂ）に例示するように、ポップアップ情報３０の移動先の候補として選定された表示位置に地名を示す地図情報２２が既に存在するときには、地図情報やアイコン情報が存在しない表示領域が検索され、この検索された表示領域までポップアップ情報３０が移動される。
【００７１】
そして、移動された付加情報、並びに、表示位置の規定された地図情報及びアイコン情報が描画メモリ１３０に描画されることにより、それら付加情報、地図情報及びアイコン情報が地図上に表示される（ステップＳ１１０）。なお、各情報は、優先度の低い順、すなわち、付加情報、アイコン情報、及び地図情報の順に描画される。
【００７２】
こうして、図６に例示するように、地図情報２４〜２６及びアイコン情報４０等が地図上に表示されるとともに、これら地図情報２４〜２６及びアイコン情報４０と重複しないように移動された広告に関するポップアップ情報３１及び３２が地図上に表示されることとなる。こうして、ステップＳ１００にて描画された地図の領域内で収集された複数の付加情報の移動処理と各種情報の表示処理とが行われる（図４  ステップＳ１０９〜Ｓ１１１）。
【００７３】
以上説明したように、本実施の形態にかかる情報提示装置及び情報提示方法によれば、以下の効果が得られるようになる。
（１）地図情報及び前記付加情報に割り当てられた表示位置が所定範囲以上重複するとき、それら重複する情報の優先度を判別した。そして、優先度が低いと判別された情報の表示位置を該情報に予め割り当てられた初期位置から移動させることとした。これにより、優先度が高い情報が、優先度の低い情報に遮られることなく、その視認性が維持されることとなる。また、優先度の低い情報についても、初期位置から移動されることで、優先度が高い情報に遮られることなく、その視認性が維持されることとなる。さらに、優先度が低いと判別された情報が移動の対象として選定されることから、優先度の高い情報を予め割り当てられた初期位置に安定して表示することが可能となり、優先度の高い情報の表示位置を適正な位置に維持することが可能となる。
【００７４】
（２）付加情報として、情報量が動的に変化する情報を選定した。また、付加情報にその情報量に応じた表示領域を動的に割り当て、この割り当てた表示領域に付加情報を表示部１３１に表示させた。これにより、表示領域が動的に変化する付加情報が、地図情報やアイコン情報に重複することが的確に抑制されるようになる。
【００７５】
（３）付加情報として、表示部１３１にポップアップ表示されるポップアップ情報を選定した。これにより、ポップアップ情報及び地図情報の視認性が好適に維持されるようになる。また、ポップアップ情報の移動に際しては、その基点を維持しつつ、ポップアップ情報の内容を示す吹き出しを移動させた。よって、ポップアップ情報を移動させたとしても、その基点を初期の表示位置に維持したことで、ポップアップ情報が特定の地点との関連性が強いものであったとしても、ポップアップ情報と特定の地点との対応付けを維持することが可能となる。
【００７６】
（４）付加情報の表示処理に先立つ処理として、動的に変動する付加情報の情報量を識別するとともに該識別した情報量から定まる付加情報の表示領域に応じて、付加情報の表示位置を移動させる処理を行った。これにより、付加情報の移動が、最新の付加情報の情報量に基づき行われることとなり、最新の付加情報の情報量を付加情報の表示位置に的確に反映させることが可能となる。
【００７７】
（５）地図情報の優先度を「高」、付加情報の優先度を「低」と判別した。そして、地図情報及び付加情報に割り当てられた表示位置が所定範囲以上重複するとき、優先度「低」と判別された付加情報をその初期位置から移動させることとした。これにより、地図情報及び付加情報といった複数の情報を表示しつつも、特定の地点との関連性が強い地図情報の表示を的確に行うことが可能となる。
【００７８】
（６）地図情報として、地名、駅名、及びランドマークに関する情報を選定し、付加情報として、店舗の広告に関する広告情報を選定した。このため、地名、駅名、及びランドマークに関する情報と広告情報とを共に表示可能としつつも、各情報の視認性を的確に維持することが可能となる。これにより、例えば、広告情報を発信する店舗までの経路案内等を、地名、駅名、及びランドマークに関する情報を提示することにより行うことが可能となる。
【００７９】
（第２の実施の形態）
次に、本発明にかかる情報提示装置及び情報提示方法の第２の実施の形態を、第１の実施の形態との相違点を中心に、図７〜図９を参照して説明する。なお、本実施の形態にかかる情報提示装置及び情報提示方法も、その基本的な構成は第１の実施の形態と同等であり、図７〜図９においても第１の実施の形態と実質的に同一の要素にはそれぞれ同一の符号を付して示し、重複する説明は割愛する。
【００８０】
図７（ａ）に例示するように、本実施の形態の情報提示装置及び情報提示方法は、階層化された複数のレイヤ５０〜５３の描画領域に種別の異なる情報を描画することによって、複数の情報の表示を行う。
【００８１】
すなわち、本実施の形態では、図７（ａ）及び（ｂ）に例示するように、下層から順に、地図情報６０や描画領域を構成する地図レイヤ５０、アイコン情報６１の描画領域を構成するアイコンレイヤ５１が情報の描画領域として選定される。また、アイコンレイヤ５１の上層には、ポップアップ情報６２等の付加情報の描画領域を構成する付加情報レイヤ５２、及びメニュー情報６３の描画領域を構成するメニューレイヤ５３が情報の描画領域として選定される。なお、付加情報レイヤ５２は、例えば、情報の種別に応じてさらに階層化された複数のレイヤによって構成されている。
【００８２】
また、図８（ａ）に例示するように、各レイヤ５０〜５２に描画される地図情報６０、アイコン情報６１、及びポップアップ情報６２には、各レイヤ５０〜５２における表示位置、優先順位が規定されている。なお、地図情報６０及びアイコン情報６１の表示位置は、例えば、地図情報６０及びアイコン情報６１が示す地点や予め関連付けされた緯度経度情報等に基づいて規定される。また、ポップアップ情報６２の表示位置は、例えば、ポップアップ情報６２の収集地点や発信地点を示す緯度経度情報等に基づいて規定される。
【００８３】
そして、図８（ｂ）に示すように、地図情報６０、アイコン情報６１、及びポップアップ情報６２に規定されている表示位置を示す情報に基づき、各情報６０〜６２の表示位置が規定される。
【００８４】
図８（ｂ）に示す例では、レイヤ５０〜５２における各情報６０〜６２の表示位置が重なっていることから、付加情報レイヤ５２におけるポップアップ情報６２の表示位置が地図情報６０及びアイコン情報６１の表示位置と重ならない位置に移動される。これにより、階層化されたレイヤ５０〜５２に各情報６０〜６２が描画されたとしても、ポップアップ情報６２が地図情報６０やアイコン情報６１に重複することが抑制されることとなる。
【００８５】
以下、本実施の形態の情報提示装置及び情報提示方法の作用を図９を参照して説明する。
図９に示すように、本実施の形態では、先の図４に例示したステップＳ１００〜１１０の処理が実行されるとともに、こうした処理が、ポップアップ情報のレイヤ数だけ実行される（ステップＳ１２０、Ｓ１２１）。これにより、階層化されたポップアップ情報のレイヤに描画されるポップアップ情報と地図情報及びアイコン情報とが重複することが抑制されることとなる。
【００８６】
なお、ポップアップ情報のレイヤ間でポップアップ情報同士が重複するときにも、重複するポップアップ情報の少なくとも一方が移動されることとなる。
以上説明したように、本実施の形態にかかる情報提示装置及び情報提示方法によれば、前記（１）〜（６）の効果が得られるとともに、さらに以下の効果が得られるようになる。
【００８７】
（７）情報の種別毎に階層化された複数のレイヤ５０〜５３の描画領域に描画することによって、地図情報及び付加情報を含む複数の情報の表示を行った。これにより、複数種の情報の表示を的確に行うことが可能となる。
【００８８】
（８）複数のレイヤとして、地図情報の描画領域を構成する地図レイヤ５０に加え、アイコン情報６１の描画領域を構成するアイコンレイヤ５１、付加情報（ポップアップ情報）６２の描画領域を構成する付加情報レイヤ５２、及びメニュー情報の描画領域を構成するメニューレイヤ５３を選定した。これにより、対象とする情報の移動を、レイヤ単位で的確に行うことが可能となり、移動情報となる付加情報の移動を該付加情報に割り当てられた専用のレイヤ内で行うことが可能となる。
【００８９】
（第３の実施の形態）
次に、本発明にかかる情報配信システム及び情報配信方法の第３の実施の形態を、第１の実施の形態との相違点を中心に、図１０及び図１１を参照して説明する。なお、本実施の形態にかかる情報配信システム及び情報配信方法も、その基本的な構成は第１の実施の形態と同等であり、図１０及び図１１においても第１の実施の形態と実質的に同一の要素にはそれぞれ同一の符号を付して示し、重複する説明は割愛する。
【００９０】
図１０に示すように、本実施の形態のナビゲーションシステム１００に搭載されるオペレーティングシステム１１０Ａは、経路案内部１１１、及び表示装置を構成する表示部１３１に表示される画像の処理を行う表示処理部１１７を備えて構成される。
【００９１】
本実施の形態の経路案内部１１１は、ナビゲーションシステム１００のユーザにより目的地が設定されると、例えば、ＧＰＳ１０１からナビゲーションシステム１００の現在位置を示す緯度経度情報を取得し、取得した緯度経度情報と設定された目的地に関する情報とをセンター２００Ａに送信する。また、例えば、経路案内部１１１は、ユーザにより周辺環境に関する情報の要求操作が行われると、ナビゲーションシステム１００の現在位置を示す緯度経度情報をＧＰＳ１０１から取得し、この緯度経度情報を通信部１０２を介してセンター２００Ａに送信する。
【００９２】
表示処理部１１７は、センター２００Ａとの連携を通じて表示部１３１による画像表示の処理を行う。表示処理部１１７は、画像表示に先立ち、アプリケーション実行部１２０から取得した付加情報の収集地点、種別、及び要求先を示すデータを、通信部１０２を介してセンター２００Ａに送信する。そして、表示処理部１１７は、経路案内部１１１が送信した緯度経度情報や、当該表示処理部１１７が送信した付加情報の収集地点を示すデータの応答としてセンター２００Ａから配信される画像データを表示する処理を行う。
【００９３】
本実施の形態のセンター２００Ａは、上記表示位置規定部１１３、情報量識別部１１４、優先度判別部１１５、及び表示位置移動部１１６に準じた機能を有する表示位置規定部２０３、情報量識別部２０４、優先度判別部２０５、及び表示位置移動部２０６を有している。
【００９４】
表示位置規定部２０３は、通信部２０１を介して、ナビゲーションシステム１００の経路案内部１１１から送信された緯度経度情報や目的地に関する情報を取得すると、これら緯度経度情報や目的地に関する情報に基づいて、画像データを生成するエリアを特定する。
【００９５】
そして、表示位置規定部２０３は、特定したエリアに表示する地図情報の表示位置を、例えば、地図データベース２１０に登録されている地図データに含まれる地名や緯度経度情報に基づいて規定する。
【００９６】
また、表示位置規定部２０３は、特定したエリアに表示するアイコン情報の表示位置を、例えば、地図データベース２１０に登録されているアイコンデータに含まれる地名や緯度経度情報に基づいて規定する。
【００９７】
さらに、表示位置規定部２０３は、特定したエリアに表示する付加情報の初期の表示位置を、ナビゲーションシステム１００の表示処理部１１７から送信されたデータに基づいて規定する。また、表示位置規定部２０３は、表示位置を規定した情報のうち、地図情報とアイコン情報とを画像データ生成部２０７に出力する。そして、画像データ生成部２０７は、入力された地図情報及びアイコン情報を上記特定されたエリアの地図に表示するための画像データを生成し、この生成した画像データを、通信部２０１を介してナビゲーションシステム１００に配信する。
【００９８】
情報量識別部２０４は、表示位置規定部２０３が規定した表示位置に表示する各種の情報の情報量を識別する。本実施の形態の情報量識別部２０４は、付加情報の情報量の識別に際し、表示処理部１１７から送信されたデータが示す付加情報の要求先を参照する。そして、情報量識別部２０４は、要求先として規定されている例えば付加情報管理部２０２から該当する最新の付加情報の情報内容を取得する。
【００９９】
次いで、情報量識別部２０４は、付加情報管理部２０２から取得した付加情報の情報量を識別し、識別した情報量と表示位置規定部２０３から入力された表示位置を示す情報とに基づき、各種の情報の表示画面における表示領域を決定する。そして、情報量識別部２０４は、決定した表示領域を示す情報を優先度判別部２０５に出力する。
【０１００】
優先度判別部２０５は、情報量識別部２０４から入力された各種の情報の表示領域が所定範囲以上重複するとき、重複した情報の優先度を判別する。そして、優先度判別部２０５は、表示領域の重複する各種の情報と判別結果を示す情報とを表示位置移動部２０６に出力する。
【０１０１】
表示位置移動部２０６は、優先度判別部２０５から優先度の判別結果を示す情報が入力されると、重複する情報のうち、優先度が低い情報に割り当てられていた表示位置を移動する処理を行う。表示位置移動部２０６は、優先度が低い情報の表示位置を、優先度が高い情報との重複部分が所定範囲未満となるように、初期の表示位置から移動させる。これにより、複数の情報の重複部分が所定範囲未満に抑制される。そして、表示位置移動部２０６は、移動させた付加情報の表示位置と情報内容とを示す情報を、画像データ生成部２０７に出力する。
【０１０２】
画像データ生成部２０７は、入力された付加情報を上記特定されたエリアの地図に表示するための画像データを生成し、この生成した画像データを、通信部２０１を介してナビゲーションシステム１００に配信する。
【０１０３】
ナビゲーションシステム１００の表示処理部１１７は、センター２００Ａから配信された地図情報、アイコン情報、及び付加情報を示す画像データを通信部１０２を介して取得すると、この取得した画像データを描画メモリ１３０に描画する。これにより、センター２００Ａから配信された画像データが表示部１３１に表示される。
【０１０４】
以下、図１１を参照して本実施の形態の情報配信システム及び情報配信方法の作用を説明する。
図１１に示すように、ナビゲーションシステム１００が搭載された車両の現在位置を示す情報がＧＰＳ１０１により取得される。また、ユーザにより目的地が設定されたときには、車両の現在位置及び目的地を示す情報が取得される。そして、取得された緯度経度情報や目的地を示す情報が、ナビゲーションシステム１００からセンター２００Ａに送信される。
【０１０５】
センター２００Ａでは、ナビゲーションシステム１００から緯度経度情報や目的地を示す情報が送信されると、これら緯度経度情報や目的地を示す情報に基づいて、ナビゲーションシステム１００が搭載された車両の走行エリアや走行ルートが特定される。そして、この特定された走行エリアや走行ルートに基づき、表示部１３１に表示させる地図の表示エリアが特定される。次いで、地図データベース２１０から地図情報及びアイコン情報が順次取得される。
【０１０６】
こうして、地図情報及びアイコン情報が取得されると、地図情報及びアイコン情報に含まれる地点や緯度経度を示す情報に基づき、地図情報及びアイコン情報の地図上における表示位置が規定される。また、表示処理部１１７から予め取得された付加情報の表示位置を示すデータに基づいて、地図上に表示すべき付加情報が特定されるとともに、特定された付加情報の初期の表示位置が規定される。
【０１０７】
そして、初期の表示位置が規定された最新の付加情報が付加情報管理部２０２から取得される。こうして、最新の付加情報が取得されると、該付加情報、地図情報、及びアイコン情報の情報量が識別される。そして、この識別された情報量と上記規定された表示位置とに基づき、付加情報、地図情報、及びアイコン情報の表示部１３１における表示領域が求められる。
【０１０８】
こうして、表示領域が求められると、付加情報、地図情報、及びアイコン情報のうち、共通もしくは近接する地点の情報を表示するために表示領域が所定範囲以上重複している情報が特定される。そして、表示領域が重複している情報が特定されると、特定された情報についての優先度が判別される。これにより、例えば、地図情報と付加情報との表示領域が重複しているときには、地図情報の優先度が「高」であり、付加情報の優先度が「低」であると判別される。また、これにより、例えば、アイコン情報と付加情報との表示領域が重複しているときには、アイコン情報の優先度が「中」であり、付加情報の優先度が「低」であると判別される。そして、重複する情報のうちの優先度の低い付加情報が、初期の表示位置から、所定範囲以上重複する情報が存在しない位置まで移動される。
【０１０９】
そして、移動された付加情報、並びに、表示位置の規定された地図情報及びアイコン情報を地図上に示す画像データが生成され、この生成された画像データがセンター２００Ａからナビゲーションシステム１００に配信される。
【０１１０】
こうして、ナビゲーションシステム１００に配信された画像データが描画メモリ１３０に描画され、各種情報が地図に示された画像が表示部１３１に表示されることとなる。
以上説明したように、本実施の形態にかかる情報配信システム及び情報配信方法によれば、前記（１）〜（６）の効果が得られるとともに、さらに以下の効果が得られるようになる。
【０１１１】
（９）表示部１３１に表示させる画像の生成や優先度に応じた情報の表示位置の移動等を、付加情報を管理するセンター２００Ａで行った。これにより、ナビゲーションシステム１００では、要求に応じて配信される画像データを表示部１３１に表示すればよく、各種情報の表示に際しての表示処理等が大幅に低減されるようになる。
【０１１２】
（第４の実施の形態）
次に、本発明にかかる情報配信システム及び情報配信方法の第４の実施の形態を、第１の実施の形態との相違点を中心に、図１２を参照して説明する。なお、本実施の形態にかかる情報配信システム及び情報配信方法も、その基本的な構成は第１の実施の形態と同等であり、図１２においても第１の実施の形態と実質的に同一の要素にはそれぞれ同一の符号を付して示し、重複する説明は割愛する。なお、本実施の形態の付加情報には、動的に変動する変動情報、すなわち、付加情報の情報内容と、付加情報の種別を示す種別情報とが含まれる。
【０１１３】
図１２に示すように、本実施の形態のナビゲーションシステム１００に搭載されるオペレーティングシステム１１０Ｂは、経路案内部１１１、及び表示部１３１に表示される画像の処理を行う表示処理部１１７、表示処理部１１７による処理に基づき画像データを生成する画像データ生成部１１２を備えて構成される。
【０１１４】
本実施の形態の経路案内部１１１は、ナビゲーションシステム１００のユーザにより目的地が設定されると、例えば、ＧＰＳ１０１からナビゲーションシステム１００の現在位置を示す緯度経度情報を取得し、取得した緯度経度情報と設定された目的地に関する情報とをセンター２００Ｂに送信する。また、例えば、経路案内部１１１は、ユーザが周辺環境に関する情報の要求操作を行うと、ＧＰＳ１０１からナビゲーションシステム１００の現在位置を示す緯度経度情報を取得し、この緯度経度情報を通信部１０２を介してセンター２００Ｂに送信する。このように、本実施の形態のナビゲーションシステム１００は、緯度経度情報や目的地に関する情報をセンター２００Ｂに送信することにより、付加情報の配信要求を行う。
【０１１５】
一方、本実施の形態のセンター２００Ｂを構成する付加情報管理部２０２は、当該付加情報管理部２０２が管理する付加情報の収集地点に関する地点情報を表示部１３１等の表示装置における表示位置として関連付ける地点情報関連付部２０２ａを備えている。地点情報関連付部２０２ａは、付加情報管理部２０２によって付加情報が収集される都度、この収集された付加情報に地点情報を関連付ける。
【０１１６】
また、本実施の形態のセンター２００Ｂは、表示位置規定部２０３、情報量識別部２０４、優先度判別部２０５、及び付加情報にその表示位置を変更するための位置変更情報を関連付ける位置変更部２０８を備えている。また、センター２００Ｂは、ナビゲーションシステム１００が有する地図データベース１４０に登録された地図データ及びアイコンデータを有する地図データベース２１０を有している。
【０１１７】
表示位置規定部２０３は、通信部２０１を介して、ナビゲーションシステム１００の経路案内部１１１から送信された緯度経度情報や目的地に関する情報を取得すると、これら緯度経度情報や目的地に関する情報に基づいて、表示部１３１に表示されるエリアを特定する。また、表示位置規定部２０３は、特定したエリアに包含される収集地点で収集された付加情報を地点情報関連付部２０２ａにより関連付けされた地点情報に基づいて特定する。
【０１１８】
そして、表示位置規定部２０３は、特定したエリアに表示される地図情報及びアイコン情報の表示位置を、地図データベース２１０に登録されている地図データ及びアイコンデータに基づいて特定する。また、表示位置規定部２０３は、特定されたエリアに表示される付加情報の表示位置を、地点情報関連付部２０２ａにより関連付けされた地点情報に基づいて特定する。
【０１１９】
情報量識別部２０４は、表示位置規定部２０３が規定した表示位置に表示する各種の情報の情報量を識別する。そして、情報量識別部２０４は、特定されたエリアに表示される付加情報の情報内容を、付加情報管理部２０２から取得する。
【０１２０】
次いで、情報量識別部２０４は、付加情報管理部２０２から取得した付加情報の情報量を識別し、識別した情報量と表示位置規定部２０３から入力された表示位置を示す情報とに基づき、各種の情報の表示部１３１等の表示画面における表示領域を認識する。そして、情報量識別部２０４は、認識した表示領域を示す情報を優先度判別部２０５に出力する。
【０１２１】
優先度判別部２０５は、情報量識別部２０４から入力された各種の情報の表示領域が所定範囲以上重複するとき、重複した情報の優先度を判別する。そして、優先度判別部２０５は、表示領域の重複する各種の情報と判別結果を示す情報とを位置変更部２０８に出力する。
【０１２２】
位置変更部２０８は、優先度判別部２０５から優先度の判別結果を示す情報が入力されると、重複する情報のうち、優先度が低いと判別された情報の表示位置をその収集地点とは異なり、かつ他の情報と重複しない位置に変更するための位置変更情報を生成する。位置変更部２０８は、生成した位置変更情報を該当する付加情報に関連付ける。そして、位置変更部２０８は、位置変更情報を関連付けした付加情報を、緯度経度情報等を送信してきたナビゲーションシステム１００に通信部２０１を介して配信する。
【０１２３】
ナビゲーションシステム１００の表示処理部１１７は、位置変更情報が関連付けされた付加情報を通信部１０２を介して取得すると、この取得した付加情報の表示位置を位置変更情報に基づいて規定する。また、表示処理部１１７は、付加情報とともに表示すべき地図情報及びアイコン情報を、経路案内部１１１から取得する緯度経度情報や経路情報に基づき特定する。併せて、表示処理部１１７は、特定した地図情報及びアイコン情報の表示位置を、地図データベース１４０に登録されている地図データやアイコンデータに基づいて規定する。そして、表示処理部１１７は、表示位置を規定した付加情報、地図情報、及びアイコン情報を画像データ生成部１１２に出力する。
【０１２４】
こうして、画像データ生成部１１２が、付加情報、地図情報、及びアイコン情報を描画メモリ１３０に描画することにより、付加情報、地図情報、及びアイコン情報が規定された表示位置に表示されることとなる。
【０１２５】
以上説明したように、本実施の形態にかかる情報配信システム及び情報配信方法によれば、前記（１）〜（６）の効果が得られるとともに、さらに以下の効果が得られるようになる。
【０１２６】
（１０）センター２００Ｂに、付加情報の収集地点を示す地点情報を該当する付加情報に関連付ける地点情報関連付部２０２ａを設けた。また、センター２００Ｂに、ナビゲーションシステム１００に配信される付加情報にその表示位置を変更するための位置変更情報を関連付けする位置変更部２０８を設けた。これにより、ナビゲーションシステム１００を構成する表示処理部１１７は、センター２００Ｂから配信される位置変更情報に基づいて同じく付加情報の表示位置を、地図情報やアイコン情報と重複しない位置に変更することが可能となる。
【０１２７】
（他の実施の形態）
なお、上記各実施の形態は、以下のような形態をもって実施することもできる。
・上記第２の実施の形態では、付加情報レイヤ５２を、情報の種別に応じてさらに階層化された複数のレイヤによって構成した。これに限らず、付加情報レイヤ５２とは、単層のレイヤによって構成されるものであってもよい。
【０１２８】
・上記第３の実施の形態では、アプリケーション実行部１２０をナビゲーションシステム１００に設けた。これに限らず、センター２００Ａにアプリケーション実行部を設ける構成としてもよい。そして、このアプリケーション実行部が保有する付加情報の表示位置を示すデータに基づき、付加情報管理部２０２から取得する付加情報を選定してもよい。これによれば、センター２００Ａは、ナビゲーションシステム１００から緯度経度情報を取得するだけで、ナビゲーションシステム１００に配信する付加情報を特定することが可能となり、ナビゲーションシステム１００とセンター２００Ａとの通信回数の低減を図ることが可能となる。
【０１２９】
・上記第２の実施の形態では、階層化された複数のレイヤとして、地図レイヤ５０、アイコンレイヤ５１、付加情報レイヤ５２、及びメニューレイヤ５３を採用した。これに限らず、階層化された複数のレイヤとしては、地図レイヤ５０の他、アイコンレイヤ５１、付加情報レイヤ５２、及びメニューレイヤ５３のいずれかであればよい。またこの他、階層化されるレイヤの種別は、地図レイヤ５０、アイコンレイヤ５１、付加情報レイヤ５２、及びメニューレイヤ５３に限らず、表示される情報の種別に応じて増減してもよい。
【０１３０】
・上記各実施の形態では、上記地図情報として、地名、駅名、及びランドマークに関する情報を選定した。これに限らず、地図情報として、地名、駅名、及びランドマークの少なくとも１つに関する情報を選定してもよい。この他、地図情報としては、地図上に示される地点との関連性を有する情報であればよく、適宜変更することは可能である。また、上記各実施の形態では、付加情報として、ポップアップ表示される店舗の広告に関する広告情報を選定した。この他、付加情報としては、例えば、道路の渋滞を示す交通情報や、ユーザにより投稿される投稿情報等であってもよく、適宜変更することが可能である。
【０１３１】
・上記各実施の形態では、付加情報を、センター２００、２００Ａからナビゲーションシステム１００に配信することとした。これに限らず、付加情報の提供元となる店舗等からナビゲーションシステム１００に直接配信するようにしてもよい。
【０１３２】
・上記各実施の形態では、付加情報の表示処理を、アプリケーション実行部１２０にインストールされたアプリケーションプログラムの実行を通じて行った。これに限らず、ナビゲーションシステム１００に搭載されたオペレーティングシステム１１０、１１０Ａなどで実行されるプログラム等の実行に基づき、付加情報の表示処理を行ってもよい。
【０１３３】
・上記各実施の形態では、地図情報、アイコン情報、及び付加情報の３種類の情報を、表示対象とした。これに限らず、表示対象とされる情報とは、地図情報及び付加情報の２種類の情報であってもよい。さらに、表示対象とされる情報とは、４種以上の情報であってもよい。
【０１３４】
・上記各実施の形態では、付加情報として、ポップアップ表示されるポップアップ情報を選定した。これに限らず、付加情報としては、情報内容の更新に伴って情報量が動的に変化する情報であればよい。
【０１３５】
・上記各実施の形態では、地図情報もしくはアイコン情報と付加情報とが重複するとき、付加情報を移動させた。さらに、地図情報とアイコン情報が重複するとき、アイコン情報もしくは地図情報を移動させてもよい。このときには、アイコン情報が上記付加情報となる。
【０１３６】
・上記各実施の形態では、付加情報として、情報量が動的に変化する情報を選定した。これに限らず、付加情報としては、情報量が一定の情報であってもよい。また、付加情報としては、情報内容が変化しない情報であってもよい。要は、地図情報とは種別の異なる情報であれば付加情報とすることができる。
【０１３７】
・上記各実施の形態では、重複する情報のうちの一方の重複領域が各情報の表示領域に占める割合が約３割以上となるとき、付加情報の移動処理を行った。これに限らず、重複する情報のうちの双方の重複領域が各情報の表示領域に占める割合が約３割以上となるとき、付加情報の移動処理を行ってもよい。また、移動処理の実行基準は、複数の情報が重複するか否かを基準とするものであればよく、重複する情報のうちの一方の重複領域が各情報の表示領域に占める割合が約３割以下となるときであっても、４割以上となるときであってもよい。また、重複する情報のうちの一方の表示領域の全てが、他方の表示領域に重複することを、移動処理の実行基準としてもよい。
【０１３８】
・上記各実施の形態では、優先度の相違する情報が重複するとき、付加情報の表示位置を、情報の表示領域とされていない空き領域まで移動した。これに限らず、表示部１３１の表示領域に情報の表示領域とされていない空き領域が存在しないときには、例えば、表示部１３１の表示領域に表示されるいずれかの情報に上書きして付加情報を表示させてもよい。なお、付加情報が上書きされた情報が例えば地図情報やアイコン情報であり、情報の優先度が付加情報の優先度よりも高いときには、例えば、上書き表示される付加情報の優先度が、上書きの対象となった地図情報やアイコン情報の優先度に変更される。これにより、優先度「低」が規定されている付加情報が、この付加情報よりも優先度の高い地図情報やアイコン情報に上書きされることが抑制されることとなる。
【０１３９】
・上記各実施の形態では、優先度の相違する情報の表示位置が重複するとき、重複する情報のうち、優先度が低いと規定された付加情報の表示位置を移動した。これに限らず、付加情報の優先度を地図情報よりも高く規定し、これら付加情報及び地図情報の表示位置が重複するとき、付加情報よりも優先度が低く規定された地図情報の表示位置を移動してもよい。また、これに限らず、優先度が同一の情報の表示位置が重複するとき、重複する情報のうち、いずれかの情報の表示位置を移動することとしてもよい。
【０１４０】
・上記各実施の形態では、２つの情報の表示位置が重複するとき、一方の情報の表示位置を移動した。これに限らず、２つの情報の表示位置が重複するとき、双方の情報の表示位置を移動することにより、各情報の表示位置が重複することを解消することとしてもよい。
【０１４１】
・上記各実施の形態では、２つの情報の表示位置が重複するとき、少なくとも一方の情報の表示位置を移動した。これに限らず、３つ以上の情報の表示位置が重複するとき、重複する情報の表示位置を移動することとしてもよい。
【０１４２】
・上記各実施の形態では、地図情報の優先度を「高」、アイコン情報の優先度を「中」、及び付加情報の優先度を「低」とそれぞれ規定した。これに限らず、例えば、付加情報の優先度を「高」と規定してもよく、地図情報及びアイコン情報の優先度を変化させてもよい。また、規定される優先度とは、２段階であっても、４段階以上であってもよい。さらに、表示部１３１に表示可能な情報の優先度を、ユーザの選択に基づき規定してもよい。
【０１４３】
・上記第３の実施の形態では、表示部１３１による各種情報の表示を、単層のレイヤ描画領域に各種情報を描画することにより行った。これに限らず、センター２００Ａにて画像データが生成される構成においても、先の第２の実施の形態と同様に、階層化された複数のレイヤ描画領域に各種情報を描画することによって表示部１３１による各種情報の表示を行ってもよい。
【０１４４】
・上記第１及び第２の各実施の形態では、オペレーティングシステム１１０に、表示位置規定部１１３及び情報量識別部１１４を設けた。これに限らず、表示位置規定部１１３及び情報量識別部１１４をオペレーティングシステム１１０に設けない構成とし、表示位置の規定、及び情報量の識別を行わないこととしてもよい。これによれば、例えば、地図情報や付加情報の緯度経度が互いに共通もしくは類似するか否かに基づいて、地図情報及び付加情報が重複するか否かが判断される。また、上記第３及び第４の各実施の形態は、センター２００Ａ、２００Ｂに、表示位置規定部２０３及び情報量識別部２０４を設けた。これに限らず、表示位置規定部２０３及び情報量識別部２０４をセンター２００Ａ、２００Ｂに設けない構成とし、表示位置の規定、及び情報量の識別を行わないこととしてもよい。これによれば、例えば、地図情報や付加情報の緯度経度が互いに共通もしくは類似するか否かに基づいて、地図情報及び付加情報が重複するか否かが判断される。
【０１４５】
・上記各実施の形態では、複数の情報の表示をナビゲーションシステム１００が備える表示部１３１により行った。これに限らず、複数の情報の表示を、例えば、スマートフォンの情報端末が備える表示部を介して行ってもよい。この他、複数の情報を表示可能な装置であれば、本発明を適用することは可能である。
【符号の説明】
【０１４６】
１０、３０、３１…ポップアップ情報、２０、２１、２２…地図情報、２４、２５、２６…地図情報、４０…アイコン情報、５０…地図レイヤ、５１…アイコンレイヤ、５２…付加情報レイヤ、５３…メニューレイヤ、６０…地図情報、６１…アイコン情報、６２…ポップアップ情報（付加情報）、６３…メニュー情報、１００…ナビゲーションシステム、１０１…ＧＰＳ、１０２…通信部、１１０、１１０Ａ、１１０Ｂ…オペレーティングシステム、１１１…経路案内部、１１２…画像データ生成部、１１３…表示位置規定部、１１４…情報量識別部、１１５…優先度判別部、１１６…表示位置移動部、１１７…表示処理部、１２０…アプリケーション実行部、１３０…描画メモリ、１３１…表示部、１４０…地図データベース、２００、２００Ａ、２００Ｂ…センター、２０１…通信部、２０２…付加情報管理部、２０２ａ…地点情報関連付部、２０３…表示位置規定部、２０４…情報量識別部、２０５…優先度判別部、２０６…表示位置移動部、２０７…画像データ生成部、２０８…位置変更部、２１０…地図データベース。
【図１】
0005807609.tif 000002
【図２】
0005807609.tif 000003
【図３】
0005807609.tif 000004
【図４】
0005807609.tif 000005
【図５】
0005807609.tif 000006
【図６】
0005807609.tif 000007
【図７】
0005807609.tif 000008
【図８】
0005807609.tif 000009
【図９】
0005807609.tif 000010
【図１０】
0005807609.tif 000011
【図１１】
0005807609.tif 000012
【図１２】
0005807609.tif 000013